(57)【特許請求の範囲】
【請求項１】
無線端末と、該無線端末を収容する基地局及び通信を中継する装置を含むネットワーク装置とを有する無線ネットワークにおいて、
前記ネットワーク装置は、通信頻度が高い無線端末には短いＩＤを、通信頻度が低い無線端末には長いＩＤを生成あるいは更新して割り当てるＩＤ割り当て手段と、前記割り当てたＩＤを記憶する記憶手段と、前記割り当てたＩＤを前記無線端末に通知する通知手段と、前記無線端末との間は前記記憶したＩＤを用いて通信を行う通信手段とを有し、
前記無線端末は、前記ネットワーク装置から通知されたＩＤを記憶する記憶手段と、前記ネットワーク装置との間は前記記憶したＩＤを用いて通信を行う通信手段とを有し、
前記ＩＤ割り当て手段は、通信頻度が高いか低いかを過去の通信履歴に基づいて決定し、過去の通信回数から算出した単位時間当たりの通信回数が所定の値より小さい無線端末には前記記憶手段に記憶したＩＤより長いＩＤを、所定の値より大きい無線端末には前記記憶手段に記憶したＩＤより短いＩＤを生成あるいは更新して割り当てることを特徴とする無線ネットワーク。
【請求項２】
無線端末と、該無線端末を収容する基地局及び通信を中継する装置を含むネットワーク装置とを有する無線ネットワークにおいて、
前記ネットワーク装置は、通信頻度が高い無線端末には短いＩＤを、通信頻度が低い無線端末には長いＩＤを生成あるいは更新して割り当てるＩＤ割り当て手段と、前記割り当てたＩＤを記憶する記憶手段と、前記割り当てたＩＤを前記無線端末に通知する通知手段と、前記無線端末との間は前記記憶したＩＤを用いて通信を行う通信手段とを有し、
前記無線端末は、前記ネットワーク装置から通知されたＩＤを記憶する記憶手段と、前記ネットワーク装置との間は前記記憶したＩＤを用いて通信を行う通信手段とを有し、
前記ＩＤ割り当て手段は、通信頻度が高いか低いかを過去の通信履歴に基づいて決定し、前記無線端末ごとに最近の通信時刻を保持し、該通信時刻から所定の時間が経過している無線端末には、前記記憶手段に記憶したＩＤより長いＩＤを生成あるいは更新して割り当てることを特徴とする無線ネットワーク。
【請求項３】
無線端末と、該無線端末を収容する基地局及び通信を中継する装置を含むネットワーク装置とを有する無線ネットワークにおいて、
前記ネットワーク装置は、通信頻度が高い無線端末には短いＩＤを、通信頻度が低い無線端末には長いＩＤを生成あるいは更新して割り当てるＩＤ割り当て手段と、前記割り当てたＩＤを記憶する記憶手段と、前記無線端末との間は前記記憶したＩＤを用いて通信を行う通信手段とを有し、
前記無線端末は、前記ネットワーク装置のＩＤ割り当て手段がＩＤを割り当てるのと同じ方法により同一のＩＤを割り当てるＩＤ割り当て手段と、前記割り当てたＩＤを記憶する記憶手段と、前記ネットワーク装置との間は前記記憶したＩＤを用いて通信を行う通信手段とを有し、
前記ＩＤ割り当て手段は、通信頻度が高いか低いかを過去の通信履歴に基づいて決定し、過去の通信回数から算出した単位時間当たりの通信回数が所定の値より小さい無線端末には前記記憶手段に記憶したＩＤより長いＩＤを、所定の値より大きい無線端末には前記記憶手段に記憶したＩＤより短いＩＤを生成あるいは更新して割り当てることを特徴とする無線ネットワーク。
【請求項４】
無線端末と、該無線端末を収容する基地局及び通信を中継する装置を含むネットワーク装置とを有する無線ネットワークにおいて、
前記ネットワーク装置は、通信頻度が高い無線端末には短いＩＤを、通信頻度が低い無線端末には長いＩＤを生成あるいは更新して割り当てるＩＤ割り当て手段と、前記割り当てたＩＤを記憶する記憶手段と、前記無線端末との間は前記記憶したＩＤを用いて通信を行う通信手段とを有し、
前記無線端末は、前記ネットワーク装置のＩＤ割り当て手段がＩＤを割り当てるのと同じ方法により同一のＩＤを割り当てるＩＤ割り当て手段と、前記割り当てたＩＤを記憶する記憶手段と、前記ネットワーク装置との間は前記記憶したＩＤを用いて通信を行う通信手段とを有し、
前記ＩＤ割り当て手段は、通信頻度が高いか低いかを過去の通信履歴に基づいて決定し、前記無線端末ごとに最近の通信時刻を保持し、該通信時刻から所定の時間が経過している無線端末には、前記記憶手段に記憶したＩＤより長いＩＤを生成あるいは更新して割り当てることを特徴とする無線ネットワーク。
【請求項５】
前記ＩＤ割り当て手段は、前記記憶手段に記憶したＩＤに拡張部を付加することにより、前記記憶手段に記憶したＩＤより長いＩＤを生成することを特徴とする請求項１から４のいずれかの項に記載の無線ネットワーク。
【請求項６】
前記基地局の通信手段は、前記無線端末への着信時に、前記ＩＤ割り当て手段により割り当てられたＩＤを用いて着信端末を識別することを特徴とする請求項１から５のいずれかの項に記載の無線ネットワーク。
【請求項７】
前記無線端末の通信手段は、前記基地局への通信要求時に、前記ＩＤ割り当て手段により割り当てられたＩＤを用いて自端末を特定することを特徴とする請求項１から５のいずれかの項に記載の無線ネットワーク。
【請求項８】
前記無線端末は、前記ＩＤ割り当て手段により割り当てられるＩＤ以外に、各無線端末に固定的に割り当てられた本ＩＤをさらに保持し、
前記無線端末の通信手段は、他の無線端末を前記本ＩＤで識別し信号上に表記して前記基地局に送信し、
前記ネットワーク装置のいずれかは、前記信号を受信した基地局から転送された前記信号に表記された本ＩＤを、該本ＩＤを保持する無線端末に対して前記ＩＤ割り当て手段により割り当てられたＩＤに変換するＩＤ変換手段を有し、
前記他の無線端末を収容する基地局は、前記ネットワーク装置のＩＤ変換手段により変換されたＩＤを用いて前記他の無線端末と通信することを特徴とする請求項１から５のいずれかの項に記載の無線ネットワーク。
【発明の詳細な説明】
【技術分野】
【０００１】
本発明は、狭帯域の無線リンクを有し、非常に多数の端末を収容する無線ネットワークに関する。
【背景技術】
【０００２】
図１を参照して典型的な移動体ネットワークの構成を説明する。無線により基地局１０５〜１１２を介しネットワークと接続する端末やネットワークの装置類と通信する端末１０１〜１０４がある。基地局１０５〜１１２は、ＲＡＮ−ＧＷ（Ｒａｄｉｏ  Ｎｅｔｗｏｒｋ  Ｇａｔｅｗａｙ）１１３〜１１６に収容される。ＲＡＮ−ＧＷ１１３〜１１６は、無線区間の特有の処理を終端し、中継網側で通常の固定網による情報転送を実現する。ＲＡＮ−ＧＷ間は、中継交換接続を行う中継交換ノード１１７、１１８により、相互に接続されている。また、端末１０１〜１０４が移動するため、その位置を管理する移動管理装置１１９がネットワーク内に設けられている。さらに、固定網やインターネットなどの他網１２０への接続がなされている。
【０００３】
ここで、例えば、端末１０１から端末１０２への通信を考える。端末１０１は、端末１０２のＩＤ（ＩＤｅｎｔｉｆｉｃａｔｉｏｎ）を用いて、「信号種別＝通信要求、要求元＝端末１０１、通信相手＝端末１０２」という信号を、基地局１０５へ送信する。そのため、端末１０１は、典型的には図２に示す無線フレーム構成のうちのランダムアクセスチャネルを用いて、基地局１０５に通信要求する。基地局１０５は、同信号を受信し、ＲＡＮ−ＧＷ１１３に転送する。同信号を受信したＲＡＮ−ＧＷ１１３は、通信要求であることから、同信号を解析し、相手が端末１０２であることを判断する。そして、移動管理装置１１９に端末１０２の位置情報を要求する。同位置情報要求を受信した移動管理装置１１９は、ＲＡＮ−ＧＷ１１３に端末１０２について、「基地局１１０の配下」、あるいは、「ＲＡＮ−ＧＷ１１５の配下」、などの位置情報を回答する。同回答を得たＲＡＮ−ＧＷ１１３は、通信要求を基地局１１０、あるいは、ＲＡＮ−ＧＷ１１５に送信する。同通信要求を得た基地局１１０、あるいは、ＲＡＮ−ＧＷ１１５は、図２に示す報知チャネルあるいはページングチャネルと呼ばれる着信などを知らせる無線チャネル（以下、報知チャネル）により、「信号種別＝通信要求、要求元＝端末１０１、通信相手＝端末１０２」を配下の（ＲＡＮ−ＧＷ１１５の場合は、配下の全基地局すなわち基地局１０９、１１０の配下の）端末に通知する。各端末は報知チャネルを常に受信し、自分への通信要求があることを知る。端末１０２は、こうして自分への通信があることを認識し、当該要求に応答することにより、端末１０１１０２間での通信が開始される。
なお、従来技術として非特許文献１が知られている。
【非特許文献１】“STD-T63 IMT-2000 DS-CDMA System”，Association of Radio Industries and Businesses(ARIB，社団法人電波産業会) Study Committee，２００５年３月２４日，ｐ．２５
【発明の開示】
【発明が解決しようとする課題】
【０００４】
上記の技術によれば、端末数の増大に伴い、端末を識別するための端末ＩＤ長が増大する。端末数が非常に大きく無線の帯域が小さい場合、無線リンク上での端末ＩＤ情報の通知による無線帯域の消費が過大となる。
本発明は、上記の事情を考慮してなされたものであり、その目的は、端末数が非常に大きくなっても、端末ＩＤによる無線帯域資源の消費が少ない無線ネットワークを提供することである。
【課題を解決するための手段】
【０００５】
本発明は上記の課題を解決するためになされたもので、本発明は、無線端末と、該無線端末を収容する基地局及び通信を中継する装置を含むネットワーク装置とを有する無線ネットワークにおいて、前記ネットワーク装置は、通信頻度が高い無線端末には短いＩＤを、通信頻度が低い無線端末には長いＩＤを生成あるいは更新して割り当てるＩＤ割り当て手段と、前記割り当てたＩＤを記憶する記憶手段と、前記割り当てたＩＤを前記無線端末に通知する通知手段と、前記無線端末との間は前記記憶したＩＤを用いて通信を行う通信手段とを有し、前記無線端末は、前記ネットワーク装置から通知されたＩＤを記憶する記憶手段と、前記ネットワーク装置との間は前記記憶したＩＤを用いて通信を行う通信手段とを有し、前記ＩＤ割り当て手段は、通信頻度が高いか低いかを過去の通信履歴に基づいて決定し、過去の通信回数から算出した単位時間当たりの通信回数が所定の値より小さい無線端末には前記記憶手段に記憶したＩＤより長いＩＤを、所定の値より大きい無線端末には前記記憶手段に記憶したＩＤより短いＩＤを生成あるいは更新して割り当てることを特徴とする。
【０００６】
本発明は、無線端末と、該無線端末を収容する基地局及び通信を中継する装置を含むネットワーク装置とを有する無線ネットワークにおいて、前記ネットワーク装置は、通信頻度が高い無線端末には短いＩＤを、通信頻度が低い無線端末には長いＩＤを生成あるいは更新して割り当てるＩＤ割り当て手段と、前記割り当てたＩＤを記憶する記憶手段と、前記割り当てたＩＤを前記無線端末に通知する通知手段と、前記無線端末との間は前記記憶したＩＤを用いて通信を行う通信手段とを有し、前記無線端末は、前記ネットワーク装置から通知されたＩＤを記憶する記憶手段と、前記ネットワーク装置との間は前記記憶したＩＤを用いて通信を行う通信手段とを有し、前記ＩＤ割り当て手段は、通信頻度が高いか低いかを過去の通信履歴に基づいて決定し、前記無線端末ごとに最近の通信時刻を保持し、該通信時刻から所定の時間が経過している無線端末には、前記記憶手段に記憶したＩＤより長いＩＤを生成あるいは更新して割り当てることを特徴とする。
【０００７】
本発明は、無線端末と、該無線端末を収容する基地局及び通信を中継する装置を含むネットワーク装置とを有する無線ネットワークにおいて、前記ネットワーク装置は、通信頻度が高い無線端末には短いＩＤを、通信頻度が低い無線端末には長いＩＤを生成あるいは更新して割り当てるＩＤ割り当て手段と、前記割り当てたＩＤを記憶する記憶手段と、前記無線端末との間は前記記憶したＩＤを用いて通信を行う通信手段とを有し、前記無線端末は、前記ネットワーク装置のＩＤ割り当て手段がＩＤを割り当てるのと同じ方法により同一のＩＤを割り当てるＩＤ割り当て手段と、前記割り当てたＩＤを記憶する記憶手段と、前記ネットワーク装置との間は前記記憶したＩＤを用いて通信を行う通信手段とを有し、前記ＩＤ割り当て手段は、通信頻度が高いか低いかを過去の通信履歴に基づいて決定し、過去の通信回数から算出した単位時間当たりの通信回数が所定の値より小さい無線端末には前記記憶手段に記憶したＩＤより長いＩＤを、所定の値より大きい無線端末には前記記憶手段に記憶したＩＤより短いＩＤを生成あるいは更新して割り当てることを特徴とする。
【０００８】
本発明は、無線端末と、該無線端末を収容する基地局及び通信を中継する装置を含むネットワーク装置とを有する無線ネットワークにおいて、前記ネットワーク装置は、通信頻度が高い無線端末には短いＩＤを、通信頻度が低い無線端末には長いＩＤを生成あるいは更新して割り当てるＩＤ割り当て手段と、前記割り当てたＩＤを記憶する記憶手段と、前記無線端末との間は前記記憶したＩＤを用いて通信を行う通信手段とを有し、前記無線端末は、前記ネットワーク装置のＩＤ割り当て手段がＩＤを割り当てるのと同じ方法により同一のＩＤを割り当てるＩＤ割り当て手段と、前記割り当てたＩＤを記憶する記憶手段と、前記ネットワーク装置との間は前記記憶したＩＤを用いて通信を行う通信手段とを有し、前記ＩＤ割り当て手段は、通信頻度が高いか低いかを過去の通信履歴に基づいて決定し、前記無線端末ごとに最近の通信時刻を保持し、該通信時刻から所定の時間が経過している無線端末には、前記記憶手段に記憶したＩＤより長いＩＤを生成あるいは更新して割り当てることを特徴とする。
【０００９】
本発明は、前記ＩＤ割り当て手段は、前記記憶手段に記憶したＩＤに拡張部を付加することにより、前記記憶手段に記憶したＩＤより長いＩＤを生成することを特徴とする。
【００１０】
本発明は、前記基地局の通信手段は、前記無線端末への着信時に、前記ＩＤ割り当て手段により割り当てられたＩＤを用いて着信端末を識別することを特徴とする。
【００１１】
本発明は、前記無線端末の通信手段は、前記基地局への通信要求時に、前記ＩＤ割り当て手段により割り当てられたＩＤを用いて自端末を特定することを特徴とする。
【００１２】
本発明は、前記無線端末は、前記ＩＤ割り当て手段により割り当てられるＩＤ以外に、各無線端末に固定的に割り当てられた本ＩＤをさらに保持し、前記無線端末の通信手段は、他の無線端末を前記本ＩＤで識別し信号上に表記して前記基地局に送信し、前記ネットワーク装置のいずれかは、前記信号を受信した基地局から転送された前記信号に表記された本ＩＤを、該本ＩＤを保持する無線端末に対して前記ＩＤ割り当て手段により割り当てられたＩＤに変換するＩＤ変換手段を有し、前記他の無線端末を収容する基地局は、前記ネットワーク装置のＩＤ変換手段により変換されたＩＤを用いて前記他の無線端末と通信することを特徴とする。
【発明の効果】
【００１６】
本発明によれば、通信頻度が高い端末に短いＩＤを付与し、そうでない端末に長いＩＤを付与することにより、各端末を一意に特定できるＩＤでありながら、平均無線帯城の消費を抑制することができる。例えば、１時間に５回通信する端末が全体のうち２５万台、１月に１度通信する端末が１５００万台あったとする。前者に１２ｂｉｔ、後者に２４ｂｉｔのＩＤを割り当てる。利用回数で平均したＩＤ長は、
（１２ｂｉｔ×５回×２４時間×３０日＋２４ｂｉｔ×１回）／（５回×２４時間×３０日＋１回）＝１２．００３３
となり、実質的に１２ｂｉｔのＩＤを割り当てたのと同様の効率により通信が可能となる。
【発明を実施するための最良の形態】
【００１７】
まず、本発明の第１の実施形態について説明する。各端末は、固定的に割り当てられた固定長の本ＩＤと通常の通信に使う（可変の、すなわち割り当て後に変更可能な）可変長の仮ＩＤを有するものとする。仮ＩＤは、本実施形態では、各ＲＡＮ−ＧＷが配下の端末を一意に特定できるよう付与し、ＲＡＮ−ＧＷ番号とＲＡＮ-ＧＷが付与した仮ＩＤの対（以下、拡大仮ＩＤ）により、網内で一意に端末を識別できるとする。
【００１８】
従来技術で述べた例と同様に、端末１０１から端末１０２への通信要求をする場合を例に説明する。各端末は、本ＩＤと拡大仮ＩＤを保持する。各ＲＡＮ−ＧＷは、図４に示すように、配下に存在する全端末の本ＩＤと仮ＩＤの対と更新時刻情報を含むテーブル（以下、ＩＤテーブル）を保持する。仮ＩＤは、以下のように「生成」、「利用」、「更新」、「削除」される。
【００１９】
各端末は、移動により、基地局エリア（ページングエリアが基地局エリアでなく、ＲＡＮ−ＧＷエリアの場合は、基地局の上位のＲＡＮ−ＧＷ）が変わった場合、「信号種別＝位置登録要求、位置＝基地局エリア番号あるいはＲＡＮ−ＧＷ番号、要求端末＝当該端末の本ＩＤ」の信号を基地局（例：基地局１０５）に送信する。基地局は、上位のＲＡＮ−ＧＷ（例：ＲＡＮ−ＧＷ１１３）に当該信号を転送する。 
【００２０】
ＲＡＮ−ＧＷ（例：ＲＡＮ−ＧＷ１１３）では、信号種別が位置登録要求であることから、同信号の内容を解析する。同信号の本ＩＤがＩＤテーブルに存在する場合は、同信号を移動管理装置１１９宛に転送する。ＩＤテーブルに存在しない場合は、（１）当該端末に払い出す「短い」仮ＩＤをあらかじめ定められた方法で決定（「生成」）し、自分のＩＤテーブルに、本ＩＤとともに記す（更新時刻を現在時刻に設定する）。そして、（２）同位置登録要求信号に拡大仮ＩＤの情報を付加した「信号種別＝位置登録要求、位置＝基地局エリア番号あるいはＲＡＮ−ＧＷ番号、要求端末＝当該端末の本ＩＤ、拡大仮ＩＤ」の信号を移動管理装置１１９に転送する。
【００２１】
同位置登録要求信号を受け取った移動管理装置１１９は、データベースを参照する。データベースには各端末に関する図３の情報を有する。本ＩＤに基づきデータベースを検索し、当該端末の基地局エリア番号あるいはＲＡＮ−ＧＷ番号を位置情報として記憶する。
【００２２】
次に、データベース上の拡大仮ＩＤと位置登録要求の拡大仮ＩＤを比較し、異なる場合は、後者で上書する。また、データベース上の拡大仮ＩＤのＲＡＮ−ＧＷ番号と位置登録要求の拡大仮ＩＤのＲＡＮ−ＧＷ番号を比較し、異なる場合は、旧拡大仮ＩＤのＲＡＮ−ＧＷ番号をもつＲＡＮ−ＧＷ（例：ＲＡＮ−ＧＷ１１４）に対して、当該位置登録要求の本ＩＤを持つ端末に関わる項目のＩＤテーブルからの削除を要求する。同削除要求を受け取ったＲＡＮ−ＧＷ（例：ＲＡＮ−ＧＷ１１４）は、自ＩＤテーブルから同項目を削除する（「削除」）。
【００２３】
位置登録に関わる処理を終えた移動管理装置１１９は、位置登録完了信号を位置登録要求転送元のＲＡＮ−ＧＷ（例：ＲＡＮ−ＧＷ１１３）に、同位置登録要求端末の本ＩＤとともに送信する。同位置登録完了信号を受信したＲＡＮ−ＧＷは、拡大仮ＩＤの情報を付加して、同位置登録完了信号を位置登録要求端末に送信する。同信号を受信することで端末は、拡大仮ＩＤを得る。
【００２４】
こうして、各端末は拡大仮ＩＤを更新し、各ＲＡＮ−ＧＷも配下の全端末に関する本ＩＤと拡大仮ＩＤを更新しつつ保持可能である。生成された短いＩＤにより、通信は以下のように効率化される（「利用」）。
【００２５】
例えば、端末１０１から端末１０２への通信要求が生じたとする。端末１０１は、「信号種別＝通信要求、要求元＝端末１０１の仮ＩＤ、通信相手＝端末１０２の本ＩＤ」という信号を基地局１０５へ送信する。基地局１０５は同信号を受信し、ＲＡＮ−ＧＷ１１３に転送する。同信号を受信したＲＡＮ−ＧＷ１１３は、通信要求であることから、同信号を解析し、（１）ＩＤテーブルの仮ＩＤが端末１０１の仮ＩＤと一致するレコードの更新時刻を現在時刻に設定する。そして、（２）通信相手がＩＤテーブル上に存在しないことをチェックし、移動管理装置１１９に端末１０２の位置情報を要求する。ここで、通信相手がＩＤテーブル上に存在すれば、通信相手は当該ＲＡＮ−ＧＷ配下に存在するので、下記で説明するように、通信要求を受信したＲＡＮ−ＧＷ１１５における処理と同様の処理を、ＲＡＮ−ＧＷ１１３において行う。
【００２６】
同位置情報要求を受信した移動管理装置１１９は、ＲＡＮ−ＧＷ１１３に、端末１０２について、「基地局１１０の配下」、あるいは、「ＲＡＮ−ＧＷ１１５の配下」、などの位置
情報を回答する。同回答を得たＲＡＮ−ＧＷ１１３は、ＲＡＮ−ＧＷ１１５に「信号種別＝通信要求、要求元＝端末１０１の本ＩＤ、通信相手＝端末１０２の本ＩＤ」として送信する。
【００２７】
同通信要求を受信したＲＡＮ−ＧＷ１１５は、（１）ＩＤテーブルの本ＩＤが端末１０２の本ＩＤと一致するレコードの更新時刻を現在時刻に設定する。そして、（２）「信号種別＝通信要求、要求元＝端末１０１の本ＩＤ、通信相手＝端末１０２の仮ＩＤ」として、端末１０２を収容する基地局１１０（あるいは、ＲＡＮ−ＧＷ１１５配下の全基地局）に送信する。同基地局では、報知チャネルにより配下の端末に通知する。端末１０２は同信号により通信要求があることを認識し、当該要求に応答することにより、端末１０１、１０２間での通信が開始される。
【００２８】
上記通信要求では、端末１０１が自ＩＤとして仮ＩＤを利用し、基地局１１０が端末１０２のＩＤとして仮ＩＤを利用することによりＩＤ長を短くすることができた。その後の通信中においても、短い仮ＩＤで通信することは可能である。
【００２９】
さて、生成された短い仮ＩＤはビット数が少ないため数が取れないので、以下のようにして、通信頻度の少ない端末から順に長い仮ＩＤに変更する（「更新」）。
各ＲＡＮ−ＧＷは、あらかじめ仮ＩＤの更新時期を定めておく。例えば、ＩＤテーブルの更新時刻から１時間経過時点、１日経過時点、１月経過時点などとする。更新時点がきたら、それまでの仮ＩＤより長い仮ＩＤに変更してＩＤテーブルに登録し、移動管理装置１１９に新たな仮ＩＤとして通知する。移動管理装置１１９では同通知を受信し、仮ＩＤを更新して保持する。
【００３０】
仮ＩＤの更新は、旧仮ＩＤと全く独立に新仮ＩＤを生成してもよいが、次のように旧仮ＩＤを引き継ぐ形で新仮ＩＤを生成することができる。具体的には、旧仮ＩＤに拡張部を付けて新仮ＩＤとする。例えば、上記更新時期の例では、最初の仮ＩＤに対して、１時間経過後に、更新時の時刻情報（０から２３）を付け加えて、新仮ＩＤとする。１日経過後には、さらに、更新時の日付情報（１から３１）を付け加えて新仮ＩＤとする。１月経過後には、さらに、更新時の年月情報を付け加えて新仮ＩＤとする。こうすると一番最初に生成した仮ＩＤが最初の更新時期までに重複することがなければ、以降、重複することなく一意に端末を特定できる。また、当該仮ＩＤをもつ端末に新仮ＩＤを通知する場合も、追加された拡張部のみ通知するか、端末も更新時刻と更新時期を管理し、自律的に新仮ＩＤを生成することで、仮ＩＤの更新通知が不要となる。
【００３１】
なお、上記実施形態では、各ＲＡＮ−ＧＷが仮ＩＤの付与と管理、更新を行うものとして例示したが、移動管理装置１１９が行う形態、各基地局が行う形態など、他のネットワーク装置が行うことも可能である。
【００３２】
次に、本発明の第２の実施形態について説明する。本実施形態では、各端末の通信回数に応じ、移動管理装置１１９が仮ＩＤの生成を行う。各端末は、固定的に割り当てられた固定長の本ＩＤと、通常の通信に使う（可変の、すなわち割り当て後に変更可能な）可変長の仮ＩＤを有するものとする。本実施形態では、仮ＩＤにより網内で一意に端末が識別できるとする。 
【００３３】
従来技術で述べた例と同様に、端末１０１から端末１０２へ通信要求をする場合を例に説明する。各端末は、本ＩＤと仮ＩＤを保持する。移動管理装置１１９は、図５に示すように、全端末の本ＩＤ、仮ＩＤ長、仮ＩＤ、位置情報、通信回数、当該端末のサービス開始時期、仮ＩＤ最終更新時刻情報のテーブルをデータベース上にもつ。ＲＡＮ−ＧＷあるいは基地局は、配下の全端末に対する本ＩＤと仮ＩＤの対応表をもつ。以下の説明では、ＲＡＮ−ＧＷが対応表をもつとする。仮ＩＤは、以下のように「利用」、「更新」される。なお、新規端末に対しては、平均的な長さの仮ＩＤをあらかじめ定められた方法により移動管理装置１１９が生成し、電源投入時に通知する。
【００３４】
各端末は、移動により、基地局エリア（ページングエリアが基地局エリアでなく、ＲＡＮ−ＧＷエリアの場合は、基地局の上位のＲＡＮ−ＧＷ）が変わった場合、「信号種別＝位置登録要求、位置＝基地局エリア番号あるいはＲＡＮ−ＧＷ番号、要求端末＝仮ＩＤ」の信号を基地局（例：基地局１０５）に送信する。基地局は、上位のＲＡＮ−ＧＷ（例：ＲＡＮ−ＧＷ１１３）に当該信号を転送する。ＲＡＮ−ＧＷ（例：ＲＡＮ−ＧＷ１１３）では、信号種別が位置登録要求であることから、同位置登録要求信号を移動管理装置１１９に転送する。
【００３５】
同位置登録要求を受信した移動管理装置１１９は、データベースを参照する。仮ＩＤに基づき、データベースを検索し、当該端末の基地局エリア番号あるいはＲＡＮ−ＧＷ番号を位置情報として記憶する。次に、データベース上の仮ＩＤ最終更新時刻をチェックし、あらかじめ定められた時間（例えば、１週間）が経過していれば、以下のように仮ＩＤを更新する。データベース上の当該端末の通信回数とサービス開始時期および現在の時刻・日付から、サービス開始後の平均通信回数／時間を算出する。これがどの程度の値かで、例えば、４つの長さのＩＤ長から１つを定める。例えば、１０．０以上であれば１２ｂｉｔ、１．０以上１０．０未満であれば１８ｂｉｔ、０．１以上１．０未満であれば２４ｂｉｔ、０．１未満であれば３２ｂｉｔとする。定められたｂｉｔ長のうち、使用されていないものをデータベース上でチェックし、それを新たな仮ＩＤとする。そして、データベース上の当該端末のレコードの仮ＩＤ、仮ＩＤ最終更新時刻を更新して保持する。仮ＩＤ最終更新時刻からあらかじめ定められた時間が経過していなければ、新たな仮ＩＤの割り当てに関する上記処理は行わない。
【００３６】
次に、移動管理装置１１９は、位置登録完了信号を位置登録要求転送元のＲＡＮ−ＧＷ（例：ＲＡＮ−ＧＷ１１３）に、同位置登録要求端末の本ＩＤ、仮ＩＤ（新たな仮ＩＤが割り当てられた場合は、新旧の仮ＩＤ）とともに送信する。同位置登録完了信号を受信したＲＡＮ−ＧＷは、本ＩＤと仮ＩＤの対応表をチェックし、対応表に本ＩＤが存在しなければ新たに本ＩＤと仮ＩＤの対応を登録し、存在して新仮ＩＤが割り当てられた場合は、仮ＩＤを新仮ＩＤに更新して保持する。そして、同位置登録完了信号を位置登録要求端末に転送する。仮ＩＤが更新された場合、同信号を受信することで端末は新仮ＩＤを得る。
【００３７】
なお、上記では、位置登録時に仮ＩＤを更新するとしたが、通信開始時・終了時や一定時間ごとに仮ＩＤを更新することも、もちろん可能である。生成されたＩＤは、通信回数の多い端末に短い仮ＩＤを割り当てていることにより効率化される。
【００３８】
ここで、端末１０１から端末１０２への通信要求が生じたとする。端末１０１は、「信号種別＝通信要求、要求元＝端末１０１の仮ＩＤ、通信相手＝端末１０２の本ＩＤ」という信号を、基地局１０５へ送信する。基地局１０５は同信号を受信し、ＲＡＮ−ＧＷ１１３に転送する。同信号を受信したＲＡＮ−ＧＷ１１３は、位置情報要求信号を移動管理装置１１９に送信する。
【００３９】
同信号を受信した移動管理装置１１９では、データベースを検索し、端末１０１と端末１０２のレコードを抽出する。両レコードの通信回数をそれぞれ１つ加算する。そして、「基地局１１０の配下」、あるいは、「ＲＡＮ−ＧＷ１１５の配下」などの端末１０２の位置情報をＲＡＮ−ＧＷ１１３に回答する。端末１０２について、位置情報回答を得たＲＡＮ−ＧＷ１１３は、ＲＡＮ−ＧＷ１１５に「信号種別＝通信要求、要求元＝端末１０１の本ＩＤ、通信相手＝端末１０２の本ＩＤ」として送信する。
【００４０】
同通信要求を得たＲＡＮ−ＧＷ１１５は、「信号種別＝通信要求、要求元＝端末１０１の本ＩＤ、通信相手＝端末１０２の仮ＩＤ」として基地局１１０（あるいは、ＲＡＮ−ＧＷ１１５配下の全基地局）に送信する。同基地局では、報知チャネルにより配下の端末に通知する。端末１０２は同信号により通信要求があることを認識し、当該要求に応答することにより端末１０１、１０２間での通信が開始される。
【００４１】
上記通信要求で、端末１０１が自ＩＤとして仮ＩＤを利用し、基地局１１０が端末１０２のＩＤとして仮ＩＤを利用した。これらの端末が通信回数の多い端末であれば、短いＩＤ長が割り当てられているため効率的に通信ができる。
【００４２】
なお、上記では、通信回数をもとに、通信頻度が高いと推定される端末に短い仮ＩＤを与えたが、仮ＩＤ長の与え方はこれに限定されない。例えば、端末のアプリケーションが想定できる場合、料金プランなどにより高頻度端末が想定できる場合などは、これらの情報に基づき仮ＩＤ長を決め、仮ＩＤを割り当てることが可能である。その場合は、最初の生成時から、端末に応じた仮ＩＤ長となる。さらに、更新は必須ではない。
【産業上の利用可能性】
【００４３】
本発明は、多数の端末を収容する無線ネットワークに用いられる。
【図面の簡単な説明】
【００４４】
【図１】移動体ネットワークの構成を示す図である。
【図２】端末と基地局の間の無線フレーム構成を示す図である。
【図３】本発明の第１の実施形態において移動管理装置がデータベースに有する情報の構成を示す図である。
【図４】ＲＡＮ−ＧＷが有するＩＤテーブルの構成を示す図である。
【図５】本発明の第２の実施形態において移動管理装置がデータベースに有する情報の構成を示す図である。
【符号の説明】
【００４５】
１０１〜１０４…端末
１０５〜１１２…基地局
１１３〜１１６…ＲＡＮ−ＧＷ
１１７、１１８…中継交換ノード
１１９…移動管理装置
１２０…他網
【図１】
0004522920.tif 000002
【図２】
0004522920.tif 000003
【図３】
0004522920.tif 000004
【図４】
0004522920.tif 000005
【図５】
0004522920.tif 000006